(57)【要約】【課題】カメラ付携帯電話機を所有しながらも、それによって撮影した画像を容易に印刷する手段を有さないユーザに対して有効的なサービスを提供することである。【解決手段】カメラ付携帯電話機１０とシール写真印刷販売機２０とを接続する手段Ｎ２を有し、カメラ付携帯電話機１０で撮影した画像の画像データをシール写真印刷販売機２０に受け渡し、シール写真印刷販売機がこの受け渡された画像データに基づいてシール写真を作成、出力することを特徴とする。【選択図】　図１
2004117995.tif 000002
【特許請求の範囲】
【請求項１】
カメラ付携帯電話機とシール写真印刷販売機とを接続する手段を有し、前記カメラ付携帯電話機で撮影した画像の画像データを前記シール写真印刷販売機に受け渡し、前記シール写真印刷販売機が該受け渡された画像データに基づいてシール写真を作成、出力することを特徴とするカメラ付携帯電話機を用いた画像印刷システム。
【請求項２】
前記シール写真印刷販売機が硬貨投入口を有し、前記硬貨投入口に予め定めた額の硬貨が投入されたときに、前記シール写真印刷販売機が該受け渡された画像データに基づいてシール写真を作成、出力することを特徴とする請求項１に記載のカメラ付携帯電話機を用いた画像印刷システム。
【請求項３】
前記シール写真印刷販売機が所定のネットワークに接続され、前記ネットワークを介してメンテナンス制御端末から前記シール写真印刷販売機のメンテナンスが行われることを特徴とする請求項１または２に記載のカメラ付携帯電話機を用いた画像印刷システム。
【請求項４】
前記メンテナンスが、前記シール写真印刷販売機で動作するソフトウェアプログラムのバージョンアップであることを特徴とする請求項３に記載のカメラ付携帯電話機を用いた画像印刷システム。
【請求項５】
前記メンテナンスが、前記シール写真印刷販売機の電源ＯＮ／ＯＦＦ設定であることを特徴とする請求項３に記載のカメラ付携帯電話機を用いた画像印刷システム。
【請求項６】
前記メンテナンスが、前記シール写真印刷販売機の故障状況のモニタであることを特徴とする請求項３に記載のカメラ付携帯電話機を用いた画像印刷システム。
【請求項７】
前記シール写真印刷販売機が、予め定めた該ユーザのポイントを消費することによって、該受け渡された画像データに基づいてシール写真を作成、出力することを特徴とする請求項１ないし６のうちのいずれか１項に記載のカメラ付携帯電話機を用いた画像印刷システム。
【請求項８】
前記シール写真印刷販売機が出力するシール写真の一部に広告を掲載することを特徴とする請求項１ないし７のうちのいずれか１項に記載のカメラ付携帯電話機を用いた画像印刷システム。
【請求項９】
前記シール写真印刷販売機がタッチパネル画面を有し、前記タッチパネル画面に広告を掲載することを特徴とする請求項１ないし８のうちのいずれか１項に記載のカメラ付携帯電話機を用いた画像印刷システム。
【請求項１０】
前記画像データを蓄積する画像データストレージ装置をさらに設けたことを特徴とする請求項１ないし９のうちのいずれか１項に記載のカメラ付携帯電話機を用いた画像印刷システム。
【発明の詳細な説明】
【０００１】
【発明の属する技術分野】
本発明は、カメラ付携帯電話機を用いた画像印刷システムに関する。
【０００２】
【従来の技術】
最近の携帯電話機の普及は目覚しく、また、その提供する機能も拡充され、通話が可能なだけではなく、画像を撮影することもできるカメラ付携帯電話機も広く普及し始めている。
【０００３】
このようなカメラ付携帯電話機では、画像を撮影して画像データを得ることができるが、その画像データを印刷するためのパソコン等の情報処理装置や実際に印刷するためのプリンタ等の画像印刷装置を所有しているユーザは、カメラ付携帯電話機を所有しているユーザの中でも少数に限られるのが現状である。
【０００４】
このため、多くのカメラ付携帯電話機のユーザは、せっかく撮影した画像について、その利用範囲は、その画像をメールに添付して送信したり、その画像を携帯電話機のディスプレイで見ることぐらいがせいぜいであった。
【０００５】
一方で、最近ではいわゆるプリクラ（登録商標）と呼ばれるシール写真（シール付写真、写真をシールとして貼ることができるもの）を印刷するプリクラ（登録商標）製作システムが広く普及しており、特許文献１には、インターネットを利用し、プリクラ（登録商標）製作装置から離れた遠隔地からでもプリクラ（登録商標）の製作を行うことができるインターネットプリクラ（登録商標）製作システムが開示されている。
【０００６】
【特許文献１】
特開２０００−１１５６６６号公報（第２頁、図１）
【発明が解決しようとする課題】
上述のように従来は、カメラ付携帯電話機の普及の大きさにもかかわらず、カメラ付携帯電話機のユーザの多くは、撮影した画像を簡単に印刷する手段を有していないのが現状であった。
【０００７】
また、特許文献１のように画像を容易に印刷することができるシール写真印刷装置が知られてはいるものの、その利用に関して従来は、特許文献１に記載されているようにシール写真印刷装置の遠隔操作を行うことがせいぜいであった。
【０００８】
また、画像データは、メール文章のようなテキストデータと比較してデータ量が多く、カメラ付携帯電話機による撮影画像が増えてくると、小型化が望まれるカメラ付携帯電話機のメモリ容量では記憶、保存しきれなくなってしまうおそれがあるという問題もあった。
【０００９】
本発明は上記の点にかんがみてなされたもので、カメラ付携帯電話機を所有しながらも、それによって撮影した画像を容易に印刷する手段を有さないユーザに対して有効的なサービスを提供するカメラ付携帯電話機を用いた画像印刷システムを提供することを目的とする。
【００１０】
【課題を解決するための手段】
本発明は上記の目的を達成するために、カメラ付携帯電話機とシール写真印刷販売機とを接続する手段を有し、前記カメラ付携帯電話機で撮影した画像の画像データを前記シール写真印刷販売機に受け渡し、前記シール写真印刷販売機が該受け渡された画像データに基づいてシール写真を作成、出力することを特徴とする。
【００１１】
本発明は、カメラ付携帯電話機のユーザが料金を支払い、カメラ付携帯電話機で撮影した画像データをシール写真印刷販売機に受け渡し、ユーザはシール写真印刷販売機を操作することによりシール写真を印刷し、出力する無人販売ビジネスのサービスを提供するシステムである。
【００１２】
また、シール写真印刷販売機を利用する際の料金の代わりにポイントを用いることもできる。たとえば、ユーザが他の商品（ポイントシステム提携事業者の商品）を購入したときにそのユーザにポイントを付与し、ユーザは、このようにして自分が貯めたポイントを消費することによってシール写真印刷販売機を利用することができるようにしてもよい。
【００１３】
図１を参照して説明すると、ユーザａはシール写真印刷販売機２０へ規定の料金を硬貨で投入し、カメラ付携帯電話機１０からシール写真印刷販売機２０へデータ送出手段Ｎ２を用いて画像データを受け渡す。
【００１４】
ユーザａは、シール写真印刷販売機２０にて、好みのカット数や落書き（たとえば任意の文字や絵等を手書きする）などシール写真印刷販売機２０が有する機能を操作する。操作が完了した時点でシール写真印刷販売機２０はシール写真を印刷し、出力する。
【００１５】
また、ユーザａは、カメラ付携帯電話機１０からシール写真印刷販売機２０へ送出した画像データを、シール写真印刷販売機２０からネットワークＮ１を介して画像データストレージ装置３０へ送出することが可能である。画像データストレージ装置３０へ蓄積されたユーザａの画像データは、ネットワークＮ１に接続された端末５０にて決められた手順に従いユーザｂが閲覧することが可能である。
【００１６】
同様に、ネットワークＮ１と接続可能な携帯電話機６０にて決められた手順に従いユーザｃが閲覧することも可能である。
【００１７】
また、ネットワークＮ１に接続されたメンテナンス制御端末４０にて、シール写真印刷販売機２０の故障状態、電源ＯＮ／ＯＦＦ設定、内部ソフトウェアのバージョンアップ等をの遠隔操作、制御することが可能である。
【００１８】
【発明の実施の形態】
以下、本発明の実施の形態を図面を参照して説明する。
【００１９】
図１は、本発明によるカメラ付携帯電話機を用いた画像印刷システムの第１の実施の形態のシステム構成を示すブロック図である。
【００２０】
図１を参照すると、本実施の形態のカメラ付携帯電話機を用いた画像印刷システムは、ユーザａのカメラ付携帯電話機１０と、シール写真印刷販売機２０と、画像データストレージ装置３０と、ユーザｂの端末５０と、ユーザｃの携帯電話機６０と、ネットワークＮ１とを有して構成されている。
【００２１】
カメラ付携帯電話機１０は、シール写真印刷販売機２０へ画像データを送出する手段であるデータ送出手段Ｎ２を有する。このデータ送出手段Ｎ２としては、赤外線通信（ＩｒＤＡ）やＢｌｕｅＴｏｏｔｈのようなワイヤレス通信のほか、メモリースティックやＳＤカード等の記憶媒体によるものと、携帯電話通信事業者が定めたシリアル信号によるケーブル接続があり得る。
【００２２】
シール写真印刷販売機２０は、カメラ付携帯電話機１０からの画像データを受信する手段として、赤外線通信（ＩｒＤＡ）やＢｌｕｅＴｏｏｔｈのようなワイヤレス通信のほか、メモリースティックやＳＤカード等の記憶媒体によるものと、携帯電話通信事業者が定めたシリアル信号によるケーブル接続する手段を有する。
【００２３】
また、シール写真印刷販売機２０は、ユーザａが好みの画像をトリミングする機能と、画像に落書きをする機能と、シール写真を分割する機能と、それらをユーザが操作するためのタッチパネルと、シール写真を印刷・出力する機能と、ユーザが料金を投入する料金収納装置と、ネットワークＮ１に接続する機能とを有して構成される。
【００２４】
画像データストレージ装置３０は、ワークステーション・サーバ等の情報処理装置によって構成される。そしてネットワークＮ１を介して送られてきたユーザの画像データをユーザ毎に管理、蓄積する機能と、蓄積された論理的場所をユーザに通知する機能とを有する。また、ユーザから画像のダウンロード要求があれば随時対応する。
【００２５】
また、画像データストレージ装置３０のメンテナンスは、メンテナンス制御端末４０からネットワークＮ１を介して行うことが可能である。このメンテナンス制御端末４０は、ワークステーション・サーバ等の情報処理装置である。
【００２６】
またメンテナンス制御端末４０は、ネットワークＮ１を介して、シール写真印刷販売機２０における、印刷枚数、売上計算、故障状態監視、電源ＯＮ／ＯＦＦ設定、内部ソフトウェアのバージョンアップ等の遠隔制御を行うことができる。
【００２７】
さらにメンテナンス制御端末４０は、ネットワークＮ１を介して、画像データストレージ装置３０における、ユーザの画像データの蓄積および管理、故障状態監視、電源ＯＮ／ＯＦＦ設定、内部ソフトウェアのバージョンアップ等の遠隔制御を行うことができる。
【００２８】
端末５０は、ネットワークＮ１に接続されたパーソナルコンピュータまたはＰＤＡ（パーソナルデータアシスタンス）等の情報処理装置である。
【００２９】
この端末５０は、ユーザｂが定められた手順を行うことによりネットワークＮ１を介して画像データストレージ装置３０にアクセスすることができ、画像データストレージ装置３０に蓄積されている画像データたとえばユーザａの画像データをダウンロードすることが可能である。
【００３０】
携帯電話機６０は、ネットワークＮ１に接続されたディスプレイ付携帯電話機である。
【００３１】
この携帯電話機６０は、ユーザｃが定められた手順を行うことによりネットワークＮ１を介して画像データストレージ装置３０にアクセスすることができ、画像データストレージ装置３０に蓄積されている画像データたとえばユーザａの画像データをダウンロードすることが可能である。
【００３２】
ネットワークＮ１は、インターネットの通信プロトコルを有した通信回線であり、シール写真印刷販売機２０と、カメラ付携帯電話機１０とパーソナルデータアシスト等の端末５０と、携帯電話機６０等の無線通信を行うものについては携帯電話等の無線通信事業者の通信回線と、画像データストレージ装置３０とメンテナンス端末４０等の有線回線の全てを包括するものとする。
【００３３】
次に、図１に示した本発明の第１の実施の形態の動作について詳しく説明する。
【００３４】
図２は、図１に示した本発明の第１の実施の形態の動作のフローチャートを示す図である。
【００３５】
また、図１０は、図１に示したシール写真印刷販売機２０の構成を示す概略図である。
【００３６】
図２を参照すると、カメラ付携帯電話機１０を操作するユーザａは、シール写真印刷販売機２０の前で本サービスを受けるための料金に相当する金額を硬貨にてシール写真印刷販売機２０の硬貨投入口（図１０参照）に投入する（ステップＡ１）。
【００３７】
規定の料金に当たる硬貨が投入されるとシール写真印刷販売機２０は、タッチパネル画面（図１０参照）にサービスが起動した旨と操作手順等を表示する（Ａ２）。ユーザａは、このタッチパネル画面の表示内容を参照し、操作を開始する（ステップＡ３）。
【００３８】
シール写真印刷販売機２０は、カメラ付携帯電話機１０をシール写真印刷販売機２０に接続してカメラ付携帯電話機１０からシール写真印刷販売機２０に対して画像データを送出する操作、指示をタッチパネル画面に表示するが、このとき、画像データの送出方法について、赤外線通信（ＩｒＤＡ）やＢｌｕｅＴｏｏｔｈのようなワイヤレス通信のほか、メモリースティックやＳＤカード等の記憶媒体によるものと、携帯電話通信事業者が定めたシリアル信号によるケーブル接続のいずれかの手段を、ユーザが選択するメニューを表示する（ステップＡ４）。
【００３９】
ユーザａは、画像データ送出手段Ｎ２を、シール写真印刷販売機２０のタッチパネル画面にて選択する（ステップＡ５）。シール写真印刷販売機２０はこれを受け、ユーザａによって選択された画像データ送出手段Ｎ２でスタンバイする（ステップＡ６）。
【００４０】
続いてカメラ付携帯電話機１０から画像データを送出する（ステップＡ７）。このとき、画像データ送出手段Ｎ２としてメモリースティック、ＳＤカード等の記憶媒体によるものが選択された場合には、ユーザａがその記憶媒体をシール写真印刷販売機２０の記憶媒体挿入口（図１０参照）に挿入する。
【００４１】
シール写真印刷販売機２０は画像データ受け取ると、ユーザａが画像をトリミングしたり、落書きを書いたりできるように、サービスメニューをタッチパネル画面に表示する（ステップＡ８）。
【００４２】
ユーザａはタッチパネル画面に表示されたサービスメニューに従い、好みのトリミング、画面分割、落書き等の操作を行い、最後にタッチパネル画面に表示された確定ボタンを押下する（ステップＡ９）。
【００４３】
シール写真印刷販売機２０はユーザａが操作したメニューに従い、画像データの加工およびその画像データに基づいて印刷を行い、シール写真の作成を行う（ステップＡ１０）。
【００４４】
シール写真印刷販売機２０はシール写真の作成が完了すると、シール写真を出力してサービスを完了する（ステップＡ１１）。
【００４５】
次に、図１、図３、および図１０を参照して、図２とは別の動作について詳しく説明する。
【００４６】
図３は、図１に示した本発明の第１の実施の形態の、図２とは別の動作のフローチャートを示す図である。
【００４７】
ステップＢ１からステップＢ８までは、図２に示したステップＡ１からステップＡ８までと同様になるので、詳しい説明は割愛する。
【００４８】
ユーザａは、ステップＢ８においてタッチパネル画面に表示されたサービスメニューにてオプションを選択することにより、画像データを画像データストレージ装置３０へ登録することが可能である。
【００４９】
画像データを画像データストレージ装置３０へ登録することにより、画像データストレージ装置３０は当該画像データをある一定期間保存する。
【００５０】
ユーザａは画像データに対し、好みのトリミング、画面分割、落書き等シール作成に関する一連の操作を終了後、オプション選択により、画像データを画像データストレージ装置３０へ登録する操作を行う。登録操作はユーザａが所有するカメラ付携帯電話機１０の電子メールアドレスを入力することとし、登録に関する一連の操作を終了後、タッチパネル画面に表示されている確定ボタンを押下する（ステップＢ９）。
【００５１】
シール写真印刷販売機２０は、シール写真のプリント出力の準備と、画像データストレージ装置３０へ登録するための準備状態に入る（ステップＢ１０）。
【００５２】
シール写真印刷販売機２０は、シール写真のプリント出力作業と画像データストレージ装置３０へ登録する作業を平行して行う。ここでシール写真プリント出力までの動作（ステップＢ１１、ステップＢ１２）については、図２に示したフローチャートと同様になるので詳しい説明は割愛する。
【００５３】
シール写真印刷販売機２０は、当該画像データを画像データストレージ装置３０へネットワークＮ１を介して送出する（ステップＢ１３）。
【００５４】
画像データストレージ装置３０は、シール写真印刷販売機２０から受信した当該画像データをサーバに格納し、ユーザａが画像データストレージ装置３０へネットワークＮ１を介してアクセスし、当該画像データの削除等、画像データストレージ装置３０が提供する様々なサービスを受けられるための、ユーザａ固有のＩＤおよびパスワードを発行する（ステップＢ１４）。
【００５５】
シール写真印刷販売機２０は、当該画像データをサーバに格納した論理的場所とステップＢ１４で発行したＩＤおよびパスワードのデータを電子メールでカメラ付携帯電話機１０へ送信する（ステップＢ１５）。
【００５６】
その後、画像データストレージ装置３０は、ユーザａの画像データが画像データストレージ装置３０のサーバ上に格納されたことと、ＩＤ、パスワードが発行されたことと、サーバに格納した論理的場所と、ステップＢ１４で発行したＩＤおよびパスワードの情報を電子メールでカメラ付携帯電話機１０へ送信したことが完了したことを、登録完了通知としてネットワークＮ１を介してシール写真印刷販売機２０へ送出する（ステップＢ１６）。
【００５７】
シール写真印刷販売機２０は、ステップＢ１６で送出された登録完了通知を受信すると、タッチパネル画面に当該画像データをサーバに格納し、ユーザａが画像データストレージ装置３０へネットワークＮ１を介してアクセスし当該画像データの削除等、画像データストレージ装置３０が提供する様々なサービスを受けられるための、ユーザａ固有のＩＤおよびパスワードを発行し、その情報を電子メールでカメラ付携帯電話機１０へ送信したことを、タッチパネル画面にて案内表示する（ステップＢ１７）。
【００５８】
次に、図１、図４、および図１０を参照して、図２および図３とは別の動作について詳しく説明する。
【００５９】
図４は、図１に示した本発明の第１の実施の形態の、図２および図３とは別の動作のフローチャートを示す図である。
【００６０】
ここでは、ユーザａが、画像データストレージ装置３０に保管しているユーザａの画像を、ユーザｂおよびユーザｃに見てもらう際の動作について説明する。
【００６１】
ユーザａは、カメラ付携帯電話機１０にて画像データが格納された場所の情報を、ユーザｂのパソコン等端末５０およびユーザｃの携帯電話機６０にネットワークＮ１を介して電子メールで送信する（ステップＣ１）。
【００６２】
パソコン等端末５０および携帯電話機６０はネットワークＮ１を介してカメラ付携帯電話機１０より送信された電子メールを受信する（ステップＣ２）。
【００６３】
ユーザｂおよびユーザｃは、パソコン等端末５０および携帯電話機６０にてカメラ付携帯電話機１０から送信された電子メールを開封し、その電子メールに記載されている情報に基づき、予め決められた手順でユーザａの画像データが格納された場所にネットワークＮ１を介してアクセスする（ステップＣ３）。
【００６４】
画像データストレージ装置３０は、パソコン等端末５０および携帯電話機６０からのアクセスに対して、正当な手順でのアクセスであるか認証を行う（ステップＣ４）。
【００６５】
このステップＣ４の認証が通れば、画像データストレージ装置３０は、パソコン等端末５０および携帯電話機６０へ画像データを送出する（ステップＣ５）。
【００６６】
パソコン等端末５０および携帯電話機６０は画像データストレージ装置３０から送られてきた画像データを画面に表示する（ステップＣ６）。
【００６７】
次に、本発明によるカメラ付携帯電話機を用いた画像印刷システムの第２の実施の形態について説明する。
【００６８】
この第２の実施の形態では、本発明のサービスの利用形態の一つとして企業との連携によるポイントサービスを利用する例について説明する。
【００６９】
図５は、本発明によるカメラ付携帯電話機を用いた画像印刷システムの第２の実施の形態のシステム構成を示すブロック図である。
【００７０】
図５を参照すると、第２の実施の形態のカメラ付携帯電話機を用いた画像印刷システムは、ユーザａのカメラ付携帯電話機１０と、シール写真印刷販売機２０と、ポイントシステム提携事業者端末８８と、サービス運営元締め会社端末１１と、ネットワークＮ１とを有して構成されている。
【００７１】
図５において、サービス運営元締め会社端末１１およびポイントシステム提携事業者端末８８は、ネットワークＮ１に接続されたワークステーション・サーバ等の情報処理装置である。
【００７２】
図６は、図５に示した本発明の第２の実施の形態におけるポイントの流れを示すポイント利用相関図である。
【００７３】
図６に示すように、この第２の実施の形態において、ポイントのやり取りには、サービス運営元締め会社１と、ポイントシステム提携事業者８と、ユーザａ１０００と、シール写真印刷販売機２０とが関連する。
【００７４】
先ず、ユーザａがポイントを利用して本サービス（カメラ付携帯電話機１０から画像データをシール写真印刷販売機２０に送信し、シール写真印刷販売機２０によってシール写真を作成する）を利用するケースについて説明する。
【００７５】
図７は、図５に示した本発明の第２の実施の形態の動作のフローチャートを示す図であり、ポイントを消費して本サービスを利用する場合の図である。
【００７６】
ユーザａは、本サービスのポイント提携事業者８、例として携帯電話販売事業者等が提供する商品を購入する（ステップＤ１）。ポイント提携事業者端末８８はユーザａ固有のポイントを、たとえば商品の購入金額に応じたポイント数で発行し、ユーザａのポイント情報７００をネットワークＮ１を介してサービス運営元締め会社端末１１へ送出する（ステップＤ２）。
【００７７】
サービス運営元締め会社端末１１は、ポイント提携事業者端末８８より送られてきたユーザａのポイント情報７００により、サービス運営元締め会社端末１１のデータベース上にあるユーザａのポイントレコードにポイントを追加し、データベースを更新する（ステップＤ３）。
【００７８】
ユーザａは、本サービスを利用可能なポイント数を有していれば、シール写真印刷販売機２０にユーザａの有するカメラ付携帯電話機１０を接続し、図６に示すポイント２００を消費してサービスを利用する（ステップＤ４）。
【００７９】
シール写真印刷販売機２０は、ユーザａが利用したサービスのポイント使用数情報４００をネットワークＮ１を介してサービス運営元締め会社端末１１へ送出する（ステップＤ５）。
【００８０】
サービス運営元締め会社端末１１は、シール写真印刷販売機２０から送られてきたユーザａのポイント使用情報４００により、サービス運営元締め会社端末１１のデータベース上にあるユーザａのポイントレコードのポイントを減算し、データベースを更新する（ステップＤ６）。
【００８１】
図８は、図５に示した本発明の第２の実施の形態の動作のフローチャートを示す図であり、現金または携帯電話会員制キャッシュレスシステムを用いて本サービスを利用する場合の図である。
【００８２】
この場合、ユーザはシール写真印刷販売機２０の本サービスを利用することによってポイントを得る。
【００８３】
ユーザａは、本サービスを現金１００または携帯電話会員制キャッシュレスシステム３００により利用する（ステップＥ１）。
【００８４】
シール写真印刷販売機２０は、ユーザａの利用に応じたポイント数を発行し、ポイント発行情報４５０をネットワークＮ１を介してサービス運営元締め会社端末１１へ送出する（ステップＥ２）。
【００８５】
サービス運営元締め会社端末１１は、ポイント発行情報４５０によってサービス運営元締め会社端末１１のデータベース上にあるユーザａのポイントレコードにポイントを追加し、データベースを更新する（ステップＥ３）。
【００８６】
ユーザａは、自分のポイント数をネットワークＮ１を介してカメラ付携帯電話機１０からサービス運営元締め会社端末１１へ問い合わせを行い、ポイント数の通知５００を受け、クーポン券に引き換え可能なポイント数に達していればクーポン券引き換えを選択する（ステップＥ４）。
【００８７】
サービス運営元締め会社端末１１は、ユーザａから要求のあったクーポン券への引き換えを行い、クーポン券データ８００をカメラ付携帯電話機１０に送出する（ステップＥ５）。
【００８８】
ユーザａは、サービス運営元締め会社端末１１より送られてきたクーポン券で、ポイントシステム提携事業者８が提供する商品を購入する（ステップＥ６、ステップＥ７）。
【００８９】
また、クーポン券を発行した場合には、サービス運営元締め会社端末１１は、サービス運営元締め会社端末１１のデータベース上にあるユーザａのポイントレコードのポイントを減算し、データベースを更新する（ステップＥ８）。
【００９０】
図９は、本発明によるカメラ付携帯電話機を用いた画像印刷システムを用いた事業形態の一例を示すブロック図である。
【００９１】
この例では、サービス運営元締め会社１と、シール写真印刷販売機２０の所有者であるロケーションオーナー２と、シール写真印刷販売機２０が使用する消耗品たとえば印刷用紙を供給したり、ユーザのシール写真印刷販売機２０に対するクレームを受付けるサプライ・クレーム対応会社３と、シール写真印刷販売機２０に投入された現金を回収する料金回収業者４と、シール写真印刷販売機２０のリースを受け持つリース会社５と、シール写真印刷販売機２０を製造する装置製造会社６と、シール写真印刷販売機２０の設置、保守等を受け持つ装置設置・保守会社７と、ポイントシステム提携事業者８と、携帯電話会員制キャッシュレスシステム運営団体９と、シール写真印刷販売機２０によって作成するシール写真の片隅、シール写真の裏面またはシール写真印刷販売機２０のタッチパネル画面等に広告主に依頼された広告を掲載するための仲介を行う広告エージェント１０とによってシステムによる事業展開が行われる。
【００９２】
この例において、広告エージェント１０は、図示しない広告主からの依頼でシール写真印刷販売機２０によって作成するシール写真、印画紙の片隅、シール写真、印画紙の裏面または、シール写真印刷販売機２０のタッチパネル画面等に広告を掲載することができる。このとき広告エージェント１０は広告主から得た広告料のたとえば数パーセント（広告料２２０）をサービス運営元締め会社１に支払う。
【００９３】
また、シール写真印刷販売機２０のタッチパネル画面における広告としては、ネットワークＮ１を介して動画を流すこともでき、広告内容はたとえばサービス運営元締め会社端末１１からネットワークＮ１を介して任意に変更することができるし、予めプログラミングした手順にしたがって自動モードで変更することもできる。
【００９４】
【発明の効果】
以上説明したように本発明によれば、カメラ付携帯電話機を所有しながらも、それによって撮影した画像を容易に印刷する手段を有さないユーザに対して有効的なサービスを提供するカメラ付携帯電話機を用いた画像印刷システムを提供することができる。
【００９５】
また、本発明によれば、カメラ付携帯電話機で撮影した画像を手軽にプリントアウトすることができ、しかもシール付のような遊びの要素があるサービスを提供することにより、さらに携帯電話市場の活性化を図ることが可能である。
【図面の簡単な説明】
【図１】本発明によるカメラ付携帯電話機を用いた画像印刷システムの第１の実施の形態のシステム構成を示すブロック図である。
【図２】図１に示した本発明の第１の実施の形態の動作のフローチャートを示す図である。
【図３】図１に示した本発明の第１の実施の形態の、図２とは別の動作のフローチャートを示す図である。
【図４】図１に示した本発明の第１の実施の形態の、図２および図３とは別の動作のフローチャートを示す図である。
【図５】本発明によるカメラ付携帯電話機を用いた画像印刷システムの第２の実施の形態のシステム構成を示すブロック図である。
【図６】図５に示した本発明の第２の実施の形態におけるポイントの流れを示すポイント利用相関図である。
【図７】図５に示した本発明の第２の実施の形態の動作のフローチャートを示す図であり、ポイントを消費して本サービスを利用する場合の図である。
【図８】図５に示した本発明の第２の実施の形態の動作のフローチャートを示す図であり、現金または携帯電話会員制キャッシュレスシステムを用いて本サービスを利用する場合の図である。
【図９】本発明によるカメラ付携帯電話機を用いた画像印刷システムを用いた事業形態の一例を示すブロック図である。
【図１０】図１に示したシール写真印刷販売機２０の構成を示す概略図である。
【符号の説明】
１０　カメラ付携帯電話機
２０　シール写真印刷販売機
３０　画像データストレージ装置
４０　メンテナンス制御端末
５０　端末
６０　携帯電話機
Ｎ１　ネットワーク
Ｎ２　データ送出手段
１１　サービス運営元締め会社端末
８８　ポイントシステム提携事業者端末
【図１】
2004117995.tif 000003
【図２】
2004117995.tif 000004
【図３】
2004117995.tif 000005
【図４】
2004117995.tif 000006
【図５】
2004117995.tif 000007
【図６】
2004117995.tif 000008
【図７】
2004117995.tif 000009
【図８】
2004117995.tif 000010
【図９】
2004117995.tif 000011
【図１０】
2004117995.tif 000012